(57)【要約】【課題】ポップノイズを抑制可能な携帯型音声再生機を提供する。【解決手段】本発明の一の実施形態に係る携帯型音声再生機は、デジタルの音声データに基づいてアナログの音声信号を生成し、音声出力装置を介して音声を再生する携帯型音声再生機である。この携帯型音声再生機は、音声出力装置の接続端子に電気的に接続される音声電極と、音声データに基づいて音声信号を生成し、音声電極に出力する音声信号生成回路と、この音声信号生成回路に音声データを出力する制御回路と、この制御回路からの制御信号に応じて、音声電極及び音声信号生成回路の出力端子を、お互いに接続し、又は接地端子に接続する音声スイッチと、を備える。【選択図】図７
2018125798.tif 000002
【特許請求の範囲】
【請求項１】
デジタルの音声データに基づいてアナログの音声信号を生成し、音声出力装置を介して音声を再生する携帯型音声再生機であって、
前記音声出力装置の接続端子に電気的に接続される音声電極と、
前記音声データに基づいて前記音声信号を生成し、前記音声電極に出力する音声信号生成回路と、
前記音声信号生成回路に前記音声データを出力する制御回路と、
前記制御回路からの制御信号に応じて、前記音声電極及び前記音声信号生成回路の出力端子を、お互いに接続し、又は接地端子に接続する音声スイッチと
を備える携帯型音声再生機。
【請求項２】
前記音声スイッチは、
前記制御信号に応じて前記音声電極を第１のノード又は第２のノードに接続する第１のスイッチ回路と、
前記制御信号に応じて前記音声信号生成回路の出力端子を第３のノード又は第４のノードに接続する第２のスイッチ回路と
を備え、
前記第１及び第３のノードの少なくとも一方は、前記音声電極から前記音声信号生成回路の出力端子に至る前記音声信号の伝達経路上に設けられ、
前記第２及び第４のノードは、前記接地端子に接続される
請求項１記載の携帯型音声再生機。
【請求項３】
前記音声スイッチは、前記第２及び第４のノードと前記接地端子との間に並列に接続された抵抗及びキャパシタを更に備える
請求項２記載の携帯型音声再生機。
【請求項４】
前記携帯型音声再生機の電源投入時に前記音声電極及び前記音声信号生成回路の出力端子を前記接地端子に接続し、
前記音声の再生に際して前記音声電極及び前記音声信号生成回路の出力端子をお互いに接続する
請求項１〜３のいずれか１項記載の携帯型音声再生機。
【請求項５】
第１及び第２の音声データに基づいて順次音声を再生する場合であって、
前記第１及び第２の音声データのサンプリング周波数が異なる場合、
前記第１の音声データに基づく音声の再生を終了する際に前記音声電極及び前記音声信号生成回路の出力端子を前記接地端子に接続し、
前記第２の音声データに基づく音声の再生を開始する際に前記音声電極及び前記音声信号生成回路の出力端子をお互いに接続する
請求項１〜４のいずれか１項記載の携帯型音声再生機。
【請求項６】
前記第１及び第２の音声データのサンプリング周波数が同じ場合、
前記音声電極及び前記音声信号生成回路の出力端子がお互いに接続された状態で、前記第１及び第２の音声データの切替を行う
請求項５項記載の携帯型音声再生機。
【請求項７】
前記制御回路は、第５及び第６のノードを備え、前記第５及び第６のノードのいずれかに供給された電力によって動作可能であり、
所定の大きさの電圧を生成して前記第５のノードに供給する電源回路と、
前記電源回路に電力を供給するバッテリーと、
前記電源回路及び前記バッテリーを電気的に接続し、又は切断する電源スイッチと、
入力端子が前記バッテリーに、出力端子が前記第６のノードに接続された分圧回路と
を更に備える請求項１〜６のいずれか１項記載の携帯型音声再生機。
【請求項８】
前記制御回路は、前記電源スイッチによって電源が切断された場合、動作を停止する前に前記第６のノードから供給された電力によって予備情報を記憶する
請求項７記載の携帯型音声再生機。
【請求項９】
前記予備情報は、前記第６のノードの電圧である
請求項８記載の携帯型音声再生機。
【請求項１０】
前記電源スイッチは機械式のスイッチである
請求項７〜９のいずれか１項記載の携帯型音声再生機。
【請求項１１】
筐体の外部から操作可能な電源操作部を更に備え、
前記電源操作部は、前記電源スイッチと機械的に連動する
請求項１０記載の携帯型音声再生機。
【発明の詳細な説明】
【技術分野】
【０００１】
本発明は、携帯型音声再生機に関する。
【背景技術】
【０００２】
デジタルの音声データに基づいてアナログの音声信号を生成し、イヤホンやヘッドホン等の音声出力装置を介して音声を再生する携帯型音声再生機が知られている。この様な携帯型音声再生機は、例えば、音声出力装置の接続端子（例えば、イヤホンジャック）に電気的に接続される音声電極と、音声データに基づいて上記音声信号を生成し、音声電極に出力する音声信号生成回路と、この音声信号生成回路に音声データを出力する制御回路と、を備える。
【先行技術文献】
【特許文献】
【０００３】
【特許文献１】特開２００７−０１１０８８号公報
【発明の概要】
【発明が解決しようとする課題】
【０００４】
例えば、携帯型音声再生機に電源が投入された状態でイヤホンジャック等を挿入すると、イヤホンジャック等との接触時に音声電極の電荷が放出され、これによってポップノイズが発生する場合があった。
【０００５】
また、例えば、音声信号自体にポップノイズが含まれる場合もあった。例えば、携帯型音声再生機によって、サンプリング周波数の異なる２つの音声データが連続して再生される場合、音声データの切替に際してポップノイズが発生してしまう場合があった。
【０００６】
本発明はこのような課題に鑑みなされたものであり、ポップノイズを抑制可能な携帯型音声再生機を提供することを目的とする。
【課題を解決するための手段】
【０００７】
本発明の一の実施形態に係る携帯型音声再生機は、デジタルの音声データに基づいてアナログの音声信号を生成し、音声出力装置を介して音声を再生する携帯型音声再生機である。この携帯型音声再生機は、音声出力装置の接続端子に電気的に接続される音声電極と、音声データに基づいて音声信号を生成し、音声電極に出力する音声信号生成回路と、この音声信号生成回路に音声データを出力する制御回路と、この制御回路からの制御信号に応じて、音声電極及び音声信号生成回路の出力端子を、お互いに接続し、又は接地端子に接続する音声スイッチと、を備える。
【０００８】
例えば、上記音声スイッチは、制御信号に応じて音声電極を第１のノード又は第２のノードに接続する第１のスイッチ回路と、制御信号に応じて音声信号生成回路の出力端子を第３のノード又は第４のノードに接続する第２のスイッチ回路と、を備えても良い。また、第１及び第３のノードの少なくとも一方は、音声電極から音声信号生成回路の出力端子に至る音声信号の伝達経路上に設けられ、第２及び第４のノードは接地端子に接続されても良い。また、上記音声スイッチは、上記第２及び第４のノードと接地端子との間に並列に接続された抵抗及びキャパシタを更に備えていても良い。
【０００９】
また、例えば、上記携帯型音声再生機においては、携帯型音声再生機の電源投入時に音声電極及び音声信号生成回路の出力端子を接地端子に接続し、音声の再生に際して音声電極及び音声信号生成回路の出力端子をお互いに接続しても良い。
【００１０】
また、例えば、上記携帯型音声再生機においては、第１及び第２の音声データに基づいて順次音声を再生する場合であって、これら第１及び第２の音声データのサンプリング周波数が異なる場合、第１の音声データに基づく音声の再生を終了する際に音声電極及び音声信号生成回路の出力端子を接地端子に接続し、第２の音声データに基づく音声の再生を開始する際に音声電極及び音声信号生成回路の出力端子をお互いに接続しても良い。また、この場合には、例えば、第１及び第２の音声データのサンプリング周波数が同じ場合には、音声電極及び音声信号生成回路の出力端子がお互いに接続された状態で、第１及び第２の音声データの切替を行っても良い。
【００１１】
また、例えば、上記制御回路は、第５及び第６のノードを備え、第５及び第６のノードのいずれかに供給された電力によって動作可能であっても良い。また、上記携帯型音声再生機は、所定の大きさの電圧を生成して第５のノードに供給する電源回路と、電源回路に電力を供給するバッテリーと、これら電源回路及びバッテリーを電気的に接続し、又は切断する電源スイッチと、入力端子がバッテリーに、出力端子が第６のノードに接続された分圧回路と、を更に備えても良い。
【００１２】
また、例えば、上記電源スイッチによって電源が切断された場合、上記制御回路は、動作を停止する前に上記第６のノードから供給された電力によって予備情報を記憶しても良い。この予備情報は、例えば、第６のノードの電圧でも良い。
【００１３】
また、例えば、上記電源スイッチは機械式のスイッチでも良い。更に、携帯型音声再生機は、筐体の外部から操作可能な電源操作部を更に備えても良く、この電源操作部は、上記電源スイッチと機械的に連動しても良い。
【発明の効果】
【００１４】
本発明によれば、ポップノイズを抑制可能な携帯型音声再生機を提供することが可能となる。
【図面の簡単な説明】
【００１５】
【図１】本発明の第１の実施形態に係る携帯型音声再生機の外観を示す正面図である。
【図２】同携帯型音声再生機の外観を示す底面図である。
【図３】同携帯型音声再生機の外観を示す平面図である。
【図４】同携帯型音声再生機の外観を示す右側面図である。
【図５】同携帯型音声再生機の外観を示す左側面図である。
【図６】同実施形態に係る携帯型音声再生機の内部構成を示す概略的な機能ブロック図である。
【図７】音声スイッチの回路構成を説明するための概略的な回路図である。
【図８】モニタ回路の回路構成を説明するための概略的な回路図である。
【図９】同携帯型音声再生機の動作を説明するためのフローチャートである。
【図１０】同携帯型音声再生機の一部の動作を説明するためのフローチャートである。
【発明を実施するための形態】
【００１６】
［第１の実施形態］
［携帯型音声再生機の外観］
図１〜図５は、それぞれ、本発明の第１の実施形態に係る携帯型音声再生機の外観を示す正面図、底面図、平面図、右側面図及び左側面図である。尚、携帯型音声再生機の外観、各構成の位置、大きさ及び範囲、各構成の具体的な態様等は適宜変更可能である。
【００１７】
図１に示す通り、筐体１０１の正面下部には３つのボタン１０２が、その上方にはディスプレイ１０３が設けられる。ボタン１０２は、音声の再生、停止、曲送り、音量の調整等の操作に用いられる。ディスプレイ１０３は、再生中の音声や選択される音声に関する情報を表示する。
【００１８】
図２に示す通り、筐体１０１の下部には、音声端子１０４、充電端子１０５及び光源１０６が設けられる。音声端子１０４にはイヤホンやヘッドホン等の音声出力装置の接続端子（例えば、イヤホンジャック）を接続可能である。音声出力装置は、接続端子への音声信号の入力に応じて音声を出力する。本実施形態に係る携帯型音声再生機は、この音声出力装置に音声信号を出力することによって音声を再生する。充電端子１０５は、例えば、マイクロＵＳＢケーブル用の端子であり、内蔵バッテリーの充電やファームウェアのインストール等に用いられる。光源１０６は、例えば、発光ダイオード等の光源であり、内蔵バッテリーの状態や充電の状態等に応じて発光する。
【００１９】
図３に示す通り、筐体１０１の上部には、記録媒体挿入部１０７が設けられる。記録媒体挿入部１０７は、ｍｉｃｒｏＳＤカードやＳＤカード等の半導体メモリを挿入可能なソケットである。本実施形態に係る携帯型音声再生機は、この半導体メモリに記録された音声データに基づいて音声信号を生成する。
【００２０】
図４に示す通り、筐体１０１の右側面には、電源操作部１０８が設けられる。電源操作部１０８は、例えば、スライド式のスイッチであり、携帯型音声再生機の電源の投入及び切断に用いられる。また、電源操作部１０８の上方には、ストラップ等の付属品を取り付け可能な付属品取付部が設けられる。付属品取付部はピン部材１１０等を備え、このピン部材１１０と筐体１０１との間にはホール部１１１が設けられる。
【００２１】
図５に示す通り、筐体１０１の左側面には、ボタン操作切替部１０９が設けられる。ボタン操作切替部１０９は、例えば、ボタン１０２の操作の切替に用いられる。例えば、ボタン操作切替部１０９の操作により、ボタン１０２の操作がロックされても良いし、ボタン１０２に異なる動作が割り当てられても良い。例えば、ボタン操作切替部１０９が第１の状態である場合には筐体１０１正面の３つのボタン１０２にそれぞれ再生及び曲送り等の第１の動作が割り当てられ、第２の状態である場合には、表示切替及び音量調整等の第２の動作が割り当てられても良い。
【００２２】
［携帯型音声再生機の内部構成］
図６は、第１の実施形態に係る携帯型音声再生機の内部構成を示す概略的な機能ブロック図である。尚、図６においては、説明の都合上、一部の構成を省略している。
【００２３】
筐体１０１内には、音声端子１０４、音声信号生成回路２０１、制御回路２０２、音声スイッチ２０３、電源回路２０４、バッテリー２０５、電源スイッチ２０６、充電回路２０７、モニタ回路２０８等が格納される。
【００２４】
音声端子１０４は、例えば、左耳用の音声電極１４１、右耳用の音声電極１４２、並びに、接地用の電極１４３，１４４を備える３極式の音声端子である。音声電極１４１，１４２、及び、接地用の電極１４３，１４４は、音声出力装置の接続端子（例えば、イヤホンジャック）を機械的に保持すると共に、この接続端子に電気的に接続される。尚、音声端子１０４は、２極式又は４極式等、他の構成であっても良い。
【００２５】
音声信号生成回路２０１は、例えばＤＡコンバータであり、デジタルの音声データに基づいてアナログの音声信号を生成して音声電極１４１，１４２に出力する。具体的には、左耳用及び右耳用のアナログの音声信号（Ｌ，Ｒ）を生成し、それぞれ、出力端子２０１Ｌ，２０１Ｒから、カップリングコンデンサＣＣ及び音声スイッチ２０３を介して、音声端子１０４の音声電極１４１、１４２に出力する。尚、ここで言う音声データとは、例えば、ハイレゾリューションオーディオ（以下、「ハイレゾ」と呼ぶ。）の音楽データである。ハイレゾの音楽データは、例えば、サンプリング周波数及び量子化ビット数の双方がＣＤ音源よりも大きいか、サンプリング周波数及び量子化ビット数のどちらか一方がＣＤ音源よりも大きく、且つ、他方がＣＤ音源と同等である。尚、ＣＤ音源のサンプリング周波数は４４．１ｋＨｚ、量子化ビット数は１６ｂｉｔである。また、ハイレゾの音楽データは、例えば、ＦＬＡＣ（Free Lossless Audio Codec）やＷＡＶ等のデータ形式を有する。また、ここで言う音声信号とはアナログの交流信号であり、イヤホンやヘッドホン等の音声出力装置に出力されることにより、音楽等の音声が再生されるものである。
【００２６】
制御回路２０２は、例えばＭＣＵであり、ボタン１０２及びボタン操作切替部１０９の操作、並びに、制御回路２０２内部のＲＯＭに記憶されたファームウェアに従って動作する。例えば、音声の再生に際して、制御回路２０２は記録媒体挿入部１０７に挿入された半導体メモリ３００から音声データを読み出して、音声信号生成回路２０１に出力する。また、制御回路２０２は、ディスプレイ１０３を制御して、文字や数字、ロゴ等を表示させる。また、制御回路２０２は、ノードＮ５及びＮ６を備え、これらノードＮ５，Ｎ６のいずれかに供給された電力によって動作可能である。本実施形態においては、基本的にノードＮ５に供給された電力に応じて動作し、ノードＮ６はバッテリー２０５の電力モニタ等に使用される。
【００２７】
音声スイッチ２０３は、音声電極１４１、１４２から音声信号生成回路２０１の出力端子２０１Ｌ，２０１Ｒに至る音声信号の伝達経路上に設けられる。音声スイッチ２０３は、制御回路２０２からの音声出力開始／停止コマンド（制御信号）に応じて、音声電極１４１、１４２及び音声信号生成回路２０１の出力端子２０１Ｌ、２０１Ｒを、お互いに接続し、又は接地端子に接続する。尚、音声スイッチ２０３については、後に図７を参照して詳述する。
【００２８】
電源回路２０４は、例えば降圧回路、ＤＣ／ＤＣコンバータ、レギュレータ等の集積回路であり、音声信号生成回路２０１、制御回路２０２、音声スイッチ２０３、ディスプレイ１０３等の動作に適した電圧を生成して、これらの構成に供給する。
【００２９】
バッテリー２０５は、例えばリチウムイオン電池等の充電池であり、電源回路２０４に電力を供給する。尚、バッテリー２０５は、交換式の電池であっても良い。
【００３０】
電源スイッチ２０６は、例えば、電源操作部１０８と機械的に連動する機械式のスイッチであり、電源回路２０４に接続されたノードｎ１０及びバッテリー２０５の陽極に接続されたノードｎ１１を電気的に接続し、又は切断する。即ち、本実施形態においては、電源切断時に電源回路２０４に電力を供給しない。尚、電源スイッチ２０６は、機械式のスイッチでなくても良い。
【００３１】
充電回路２０７は、例えば、充電端子１０５に供給された電力を調整してバッテリー２０５に供給する集積回路である。また、充電回路２０７には光源１０６が接続されており、例えば、バッテリー２０５の状態や充電の状態等に応じて光源１０６を発光させる。
【００３２】
モニタ回路２０８は、バッテリー２０５の電力のモニタ等に用いられる。尚、モニタ回路２０８については、後に図８を参照して詳述する。
【００３３】
［第１の実施形態に係る音声スイッチ２０３］
図７は、音声スイッチ２０３の回路構成を説明するための概略的な回路図である。尚、図７には音声出力が許可された状態を例示しているが、音声スイッチ２０３の状態は音声出力開始／停止コマンドの入力によって切り替わる。また、音声スイッチ２０３は、左耳用の回路２０３Ｌ及び右耳用の回路２０３Ｒを備える。以下の説明においては左耳用の回路２０３Ｌを例に説明を行うが、右耳用の回路２０３Ｒも左耳用の回路２０３Ｌと同様に構成される。更に、音声スイッチ２０３の構成は適宜変更可能であり、例えば、音声スイッチ２０３の一部または全部をＦＰＧＡ（Field Programable Gate Array）等によって実現することも可能である。
【００３４】
音声スイッチ２０３Ｌは、音声電極１４１に接続された第１のスイッチ回路２３１、音声信号生成回路２０１の出力端子２０１ＬにカップリングコンデンサＣＣを介して接続された第２のスイッチ回路２３２、及び、これら第１及び第２のスイッチ回路２３１，２３２に接続された接地回路２３３を備える。
【００３５】
第１のスイッチ回路２３１は、音声電極１４１を、音声出力開始コマンドに応じて第１のノードＮ１に接続し、音声出力停止コマンドに応じて第２のノードＮ２に接続するスイッチ回路である。第１のノードＮ１は、カップリングコンデンサＣＣを介して音声信号生成回路２０１の出力端子２０１Ｌに接続される。第２のノードＮ２は、抵抗Ｒ２３１、及び、接地回路２３３を介して接地端子に接続される。尚、第１のスイッチ回路は、例えば、低周波数の信号を増幅するものであっても良く、導通抵抗が１Ω以下のものであっても良い。また、カップリングコンデンサＣＣは、例えば、タンタルコンデンサであっても良い。
【００３６】
第２のスイッチ回路２３２は、音声信号生成回路２０１の出力端子２０１Ｌを、音声出力開始コマンドに応じて第３のノードＮ３に接続し、音声出力停止コマンドに応じて第４のノードＮ４に接続するスイッチ回路である。第３のノードＮ３は、どこにも接続されない。第４のノードＮ４は、接地回路２３３を介して接地端子に接続される。
【００３７】
尚、上記第１及び第３のノードＮ１，Ｎ３は、これらのうちの少なくとも一方が音声電極１４１から音声信号生成回路２０１の出力端子２０１Ｌに至る音声信号の伝達経路上に設けられれば良い。例えば、第３のノードＮ３を音声電極１４１に接続しても良いし、この場合には第１のノードＮ１をどこにも接続しなくても良い。また、第１のノードＮ１を、出力端子２０１Ｌでなく、第３のノードＮ３に接続しても良い。
【００３８】
接地回路２３３は、第２及び第４のノードＮ２，Ｎ４と接地端子との間に並列に接続された抵抗Ｒ２３２及びキャパシタＣ２３２を備える。接地回路２３３は、入力端子の電荷をキャパシタＣ２３２に一時的に蓄積させ、この電荷を、抵抗Ｒ２３２を介して徐々に接地端子に放出させる
【００３９】
音声出力が許可された状態においては、図７に例示するように、音声電極１４１がカップリングコンデンサＣＣを介して出力端子２０１Ｌに接続される。これにより、音声信号が音声電極１４１に伝達可能な状態となる。また、第２のノードＮ２及び第４のノードＮ４が接地回路２３３に接続される。従って、第２のノードＮ２及び第４のノードＮ４には電荷が蓄積されず、これらの電位は接地電位となる。
【００４０】
音声スイッチ２０３に音声出力停止コマンドが入力されると、第１のスイッチ回路２３１において音声電極１４１の接続先が第１のノードＮ１から第２のノードＮ２に切り替わり、第２のスイッチ回路２３２において出力端子２０１Ｌの接続先が第３のノードＮ３から第４のノードＮ４に切り替わる。ここで、音声電極１４１及びここに接続された配線に電荷が蓄積していた場合、この電荷は抵抗Ｒ２３１及び接地回路２３３を介して徐々に放出される。従って、スイッチングに伴うポップノイズはほぼ生じない。
【００４１】
音声出力が許可されない状態においては、音声電極１４１及び出力端子２０１Ｌが、接地回路２３３を介して接地端子に接続される。従って、音声電極１４１及び出力端子２０１Ｌには電荷が蓄積されず、これらの電位は接地電位となる。
【００４２】
音声スイッチ２０３に音声出力開始コマンドが入力されると、図７に例示するように、第１のスイッチ回路２３１において音声電極１４１の接続先が第２のノードＮ２から第１のノードＮ１に切り替わり、第２のスイッチ回路２３２において出力端子２０１Ｌの接続先が第４のノードＮ４から第３のノードＮ３に切り替わる。ここで、上述の通り、音声電極１４１及び出力端子２０１Ｌには電荷が蓄積されておらず、これらの電位も同電位である。従って、スイッチングに伴うポップノイズはほぼ生じない。
【００４３】
［第１の実施形態に係るモニタ回路２０８］
図８は、モニタ回路２０８の回路構成を説明するための概略的な回路図である。モニタ回路２０８は、分圧回路２８１と、この分圧回路２８１の出力端子−接地端子間に並列に接続されたキャパシタＣ２８１，Ｃ２８２と、を備える。分圧回路２８１は、バッテリー２０５の電圧を降圧して、制御回路２０２がバッテリー２０５の電圧値を測定出来るようにする。分圧回路２８１は、抵抗Ｒ２８１及びＲ２８２を有し、入力端子がノードｎ１１を介してバッテリー２０５の陽極に、出力端子が制御回路２０２のノードＮ６に接続される。抵抗Ｒ２８１及びＲ２８２の抵抗比は、例えば、バッテリー２０５が最大まで充電された場合のノードＮ６の電圧値が制御回路２０２によって測定可能となる様に決定される。キャパシタＣ２８１はノードＮ６に供給される電流を安定させる。キャパシタＣ２８２は高周波ノイズを抑制するものであり、キャパシタＣ２８１より静電容量が小さい。
【００４４】
スイッチ２０６がＯＮ状態である場合、バッテリー２０５から電源回路２０４に電力が供給され、制御回路２０２にはノードＮ５を介して電力が供給される。モニタ回路２０８は、バッテリー２０５の電圧を降圧して、制御回路２０２がバッテリー２０５の電圧値を測定出来るようにする。
【００４５】
スイッチ２０６がＯＦＦ状態とされ、これによって携帯型音声再生機の電源が切断された場合、ノードＮ５を介した制御回路２０２への電力の供給が停止する。制御回路２０２は、これを検知して、電力の供給元をノードＮ５からノードＮ６に切替える。また、制御回路２０２は、動作を停止する前に、ノードＮ６から供給された電力によって予備情報を記録する。尚、ここで言う予備情報は、例えば、ノードＮ６の電圧値である。制御回路２０２の動作が停止した後は、再びノードＮ５に電力が供給されるまで、制御回路２０２は動作しない。
【００４６】
［携帯型音声再生機の動作］
図９は、第１の実施の形態に係る携帯型音声再生機の動作を説明するためのフローチャートである。以下の動作は、例えば、携帯型音声再生機の電源の投入に伴い、制御回路２０２（図６）内部のＲＯＭに記憶されたファームウェアに従って、制御回路２０２内部のＣＰＵにより実行される。
【００４７】
ステップＳ１００においては、音声スイッチ２０３に音声出力停止コマンドが出力される。即ち、携帯型音声再生機の電源投入時（電源投入直後）に、音声出力停止コマンドが出力される。これにより、出力端子１０４が音声信号生成回路２０１から電気的に切り離され、音声出力が許可されない状態となる。
【００４８】
ステップＳ２００においては、半導体メモリ３００の状態が検知される。例えば、携帯型音声再生機に半導体メモリ３００が挿入されているか否か、半導体メモリ３００が取扱い可能なものか否か、及び、半導体メモリ３００のルートディレクトリに音声データ又はそれを指定するデータが記憶されているか否か、を判定する。尚、ここで言う「それを指定するデータ」とは、例えばプレイリストファイルであり、音声データを記憶するサブディレクトリの名称、音声データの名称、及び、音声データの再生順等を指定するデータである。全ての条件が満たされていた場合、ステップＳ３００が開始される。いずれかの条件が満たされていなかった場合には、その旨をディスプレイ１０３に表示した上で、全ての条件が満たされるまで待機する。例えば、取扱い可能且つルートディレクトリに音声データ又はそれを指定するデータが記憶された半導体メモリ３００が挿入されるまで待機する。
【００４９】
ステップＳ３００においては、音声データの選択が行われる。例えば、ディスプレイ１０３に、音声データに関する情報を、所望の音声データを選択可能な態様で表示する。尚、ここで言う音声データに関する情報とは、例えば音声データに対応する名称（例えば曲名）や、音声データのサンプリング周波数、プレイリストに対応する名称等である。また、「選択可能な態様で表示する」とは、例えば、選択対象の音声データに対応する名称やプレイリストに対応する名称をディスプレイ１０３に表示し、ボタン１０２の操作に応じてディスプレイ１０３上で選択対象の音声データやプレイリストを切り換え、これによってユーザが音声データ又はそれを指定するデータを選択可能な状態にすることである。ユーザがボタン１０２等によって音声データを決定すると、ステップＳ４００が開始される。尚、例えば音声データの選択に際し、ボタン１０２の操作に応じて効果音を鳴らしても良い。この場合、例えば、ボタン１０２の操作に応じて音声出力開始コマンドを出力し、効果音を鳴らし、音声出力停止コマンドを出力しても良い。
【００５０】
尚、ステップＳ３００においては、例えば、一つの音声データだけでなく、その次以降に選択される音声データも決定されても良い。例えば、選択された音声データが半導体メモリ３００のルートディレクトリに記憶されていた場合、このルートディレクトリに記憶された音声データを順次選択しても良い。また、例えば第１の音声データがプレイリストによって指定されたものである場合、このプレイリストに従って順次選択しても良い。また、半導体メモリ３００に記憶された音声データをランダムに並び替えて、並び替えた順番に選択しても良い。
【００５１】
ステップＳ４００においては、音声スイッチ２０３に音声出力開始コマンドが出力される。即ち、音声の再生に際して音声出力開始コマンドが出力される。これにより、出力端子１０４が音声信号生成回路２０１に電気的に接続され、音声出力が許可された状態となる。尚、ここで言う「音声の再生に際して」とは、例えば、「音声データが選択されてから、この音声データに基づく音声の再生を開始するまでの間に」と言う意味である。
【００５２】
ステップＳ５００においては、音声の再生が行われる。即ち、ステップＳ３００において選択された音声データが半導体メモリ３００から読み出され、音声信号生成回路２０１に出力される。また、音声信号生成回路２０１はこれに基づいて音声信号を生成し、音声電極１４１，１４２に出力する。また、音声の再生中には、制御回路２０２によって各種監視が行われる。例えば、他の音声データ又はそれを指定するデータが選択されたり、停止や曲送り等が行われた場合には、これら操作に従って動作を行う。また、半導体メモリ３００が引き抜かれた場合には、その旨をディスプレイ１０３に表示すると共に、音声の再生を中断する。例えば音声の再生を終了した場合や、終了直前の所定時間内となった場合にステップＳ６００が開始される。
【００５３】
ステップＳ６００においては、音声データの切替が行われる。このステップについては、図１０を参照して詳述する。ステップＳ６００が終了すると、再びステップＳ５００が開始される。
【００５４】
図１０は、ステップＳ６００を説明するためのフローチャートである。以下の動作は、例えば、ステップＳ６００の開始に伴い、制御回路２０２（図６）内部のＲＯＭに記憶されたファームウェアに従って、制御回路２０２内部のＣＰＵにより実行される。尚、以下において、切替前の音声データを第１の音声データと、切替後の音声データを第２の音声データと呼ぶ。
【００５５】
ステップＳ６０１においては、サンプリング周波数が変更されるか否かを判定する。具体的には、第１の音声データのサンプリング周波数と、第２の音声データのサンプリング周波数と、が同じか否かを判定する。サンプリング周波数が同じである場合には、ステップＳ６０２が開始される。変更される場合にはステップＳ６０３が開始される。
【００５６】
ステップＳ６０２においては、音声データの切替が行われる。即ち、第１の音声データの再生を終了し、第２の音声データの再生を開始する。尚、ステップＳ６０２では音声データの切替が行われるが、第２の音声データの選択自体はステップＳ６０１よりも前、例えば、ステップＳ３００（図９）において行われる。
【００５７】
ステップＳ６０３においては、音声スイッチ２０３に音声出力停止コマンドが出力される。即ち、第１の音声データに基づく音声の再生を終了する際に音声出力停止コマンドが出力される。これにより、出力端子１０４が音声信号生成回路２０１から電気的に切り離され、音声出力が許可されない状態となる。尚、ここで言う「音声の再生を終了する際」とは、例えば、「音声の再生を終了した後」であっても良いし、「音声の再生を終了する直前の所定時間内」であっても良い。
【００５８】
ステップＳ６０４においては、音声データの切替が行われる。ステップＳ６０４は、ステップＳ６０２と同様に行われる。
【００５９】
ステップＳ６０５においては、音声スイッチ２０３に音声出力開始コマンドが出力される。即ち、第２の音声データに基づく音声の再生を開始する際に音声出力開始コマンドが出力される。これにより、出力端子１０４が音声信号生成回路２０１に電気的に接続され、音声出力が許可された状態となる。尚、ここで言う「音声の再生を開始する際」とは、例えば、「第２の音声データに基づく音声の再生を開始する前」であっても良いし、「第２の音声データに基づく音声の再生を開始した直後の所定時間内」であっても良い。
【００６０】
［第１の実施形態に係る携帯型音声再生機の効果］
本実施形態に係る携帯型音声再生機は、図７等を参照して説明した通り、デジタルの音声データに基づいてアナログの音声信号を生成し、イヤホンやヘッドホン等の音声出力装置を介して音声を再生する携帯型音声再生機である。この携帯型音声再生機は、音声出力装置の接続端子（例えば、イヤホンジャック）に電気的に接続される音声電極１４１，１４２と、音声データに基づいて音声信号を生成し、音声電極１４１，１４２に出力する音声信号生成回路２０１と、音声信号生成回路２０１に音声データを出力する制御回路２０２と、制御回路２０２からの制御信号に応じて、音声電極１４１，１４２及び音声信号生成回路２０１の出力端子２０１Ｌ，２０１Ｒを、お互いに接続し、又は接地端子に接続する音声スイッチ２０３と、を備える。
【００６１】
ここで、例えば、携帯型音声再生機に電源が投入された状態でイヤホンジャック等を挿入すると、イヤホンジャック等との接触時に音声電極１４１，１４２の電荷が放出され、これによってポップノイズが発生する場合があった。しかしながら、本実施形態においては、例えば、イヤホンジャック等の挿入に先立って音声電極１４１，１４２を接地端子に接続しておき、予め音声電極１４１，１４２の電荷を放出しておくことが可能である。これにより、ポップノイズを抑制可能である。
【００６２】
また、例えば、音声信号自体にポップノイズが含まれる場合もあった。例えば、音声データがハイレゾの音楽データである場合、半導体メモリ３００（図６）には複数種類のサンプリング周波数のデータが記憶される場合がある。ここで、２つの音声データが連続して流れる場合に、これら音声データのサンプリング周波数が異なると、音声データの切替に際してポップノイズが発生してしまう場合がある。しかしながら、本実施形態においては、サンプリング周波数が異なる２つの音声データの切替のタイミングで音声電極１４１，１４２を音声信号生成回路２０１の出力端子２０１Ｌ，２０１Ｒから切り離すことにより、ポップノイズの発生を抑制可能である。
【００６３】
尚、例えば音声データがライブ音源等である場合、連続して再生される音声データのサンプリング周波数は同じである場合が多い。ここで、この様な場合にまで音声電極１４１，１４２を音声信号生成回路２０１の出力端子２０１Ｌ，２０１Ｒから切り離してしまうと、このタイミングで音声が途切れてしまう。この様なことを防止するために、例えば、音声データのサンプリング周波数が変更されない場合は、音声電極１４１，１４２及び音声信号生成回路２０１の出力端子２０１Ｌ，２０１Ｒがお互いに接続された状態で音声データの切替を行えば良い。
【００６４】
また、図７等を参照して説明した通り、本実施形態においては、音声電極１４１，１４２が音声信号生成回路２０１の出力端子２０１Ｌ，２０１Ｒから切り離された状態で、これら音声電極１４１，１４２及び音声信号生成回路２０１の出力端子２０１Ｌ，２０１Ｒを接地可能である。従って、これら音声電極１４１，１４２及び音声信号生成回路２０１の出力端子２０１Ｌ，２０１Ｒをお互いに接続するタイミングで、どちらの電荷も放出しておくことが可能であるため、このタイミングにおけるポップノイズも生じない。
【００６５】
また、本実施形態に係る音声スイッチ２３３は、第２及び第４のノードＮ２，Ｎ４と接地端子との間に並列に接続された抵抗Ｒ２３２及びキャパシタＣ２３２と、を備える。
【００６６】
ここで、音声電極１４１，１４２を接地端子に接続すると、第１のノードＮ１の電荷が第２のノードＮ２に放出され、これによってポップノイズが発生することも考えられる。しかしながら、この様な構成においては、第１のノードＮ１の電荷を徐々に放出可能であり、このタイミングのポップノイズも抑制可能である。
【００６７】
また、本実施形態に係る携帯型音声再生機においては、図８等を参照して説明した通り、制御回路２０２が、ノードＮ５，Ｎ６を備え、これらノードＮ５，Ｎ６のいずれかに供給された電力によって動作可能である。更に、本実施形態に係る携帯型音声再生機は、所定の大きさの電圧を生成してノードＮ５に供給する電源回路２０４と、この電源回路２０４に電力を供給するバッテリー２０５と、これら電源回路２０４及びバッテリー２０５を電気的に接続し、又は切断する電源スイッチ２０６と、入力端子がバッテリー２０５に、出力端子が上記ノードＮ６に接続された分圧回路２８１と、を更に備える。
【００６８】
この様な態様においては、例えば、制御回路２０２をノードＮ５に供給された電力によって動作させ、ノードＮ６はバッテリー２０５のモニタに使用することが可能である。また、この様な態様においては、ＯＦＦ状態において電源回路２０４とバッテリー２０５とが電気的に切断され、ファームウェアによる電源の監視等も行わない。従って、待機電力の少ない構成を実現可能である。また、例えば、制御回路２０２は、電源スイッチ２０６によって電源が切断された場合にこれを検知して、電力の供給元をノードＮ５からノードＮ６に切替え、動作を停止する前にノードＮ６から供給された電力によって種々の動作を行うことが可能である。この様な動作としては、例えば、ノードＮ６の電圧等の予備情報の記録等が考えられる。
【００６９】
また、本実施形態において、電源スイッチ２０６は機械式のスイッチである。従って、電源スイッチ２０６においてはリーク電流がほぼ生じない。更に、本実施形態に係る携帯型音声再生機は、筐体１０１の外部から操作可能な電源操作部１０８を更に備え、この電源操作部１０８は、電源スイッチ２０６と機械的に連動する。
【００７０】
［その他の実施形態］
上記実施形態に係る携帯型音声再生機は説明のために例示したものであり、具体的な構成は適宜変更可能である。
【００７１】
例えば、図６では、音声信号生成回路２０１と制御回路２０２とがそれぞれ独立した集積回路によって実現される例を示している。しかしながら、例えば、音声信号生成回路２０１と制御回路２０２とを一つの集積回路によって実現することも可能である。
【００７２】
また、例えば、上記実施形態に係る携帯型音声再生機は音声出力装置を含んでいないが、本発明は、音声出力装置と一体に形成されたものについて適用することも可能である。
【符号の説明】
【００７３】
１０１…筐体、１０２…ボタン、１０３…ディスプレイ、１０４…音声端子、１０５…充電端子、１０６…光源、１０７…記録媒体挿入部、１０８…電源操作部、１０９…ボタン操作切替部、１１０…ピン部材、２０１…音声信号生成回路、２０２…制御回路、２０３…音声スイッチ、２０４…電源回路、２０５…バッテリー、２０６…電源スイッチ、２０７…充電回路、２０８…モニタ回路、２３１…第１のスイッチ回路、２３２…第２のスイッチ回路、２３３…接地回路。
【図１】
2018125798.tif 000003
【図２】
2018125798.tif 000004
【図３】
2018125798.tif 000005
【図４】
2018125798.tif 000006
【図５】
2018125798.tif 000007
【図６】
2018125798.tif 000008
【図７】
2018125798.tif 000009
【図８】
2018125798.tif 000010
【図９】
2018125798.tif 000011
【図１０】
2018125798.tif 000012